(57)【要約】      （修正有）【課題】見たら必ず賛同し、行動する人が出現するようなカレンダーを提供する。【解決手段】カレンダーＡに各年の各月の１日目を最前にして体重を意味するＷを記入し、体重を記入する日として国内外の人々に伝え、それに賛同し行動する人が出現し体重折れ線グラフに記入して家族の健康と絆を増進させる。西暦は年間３６５日が３年、３６６日の閏年が１年続くサイクルになっており、年代順に先頭の１月１日が火曜ならば翌年順に１月１日は水木金と規格化され、次のサイクルの曜日は１曜日遅れの日月火水と規格化されるので２サイクルをカレンダーＡのサイクル欄Ｃに記入し、記入してある年代は、誰でもカレンダーＡを作成出来る資料となる。体重折れ線グラフは和紙を使用する。【選択図】図１
2014124949.tif 000002
【特許請求の範囲】
【請求項１】
西暦の１年間の３６５日又は３６６日を１２ヶ月に分けて１２枚とし、世界共通語である英語のＷＥＩＧＨＴのＷを各月の１日目の１の後ろに記入し体重を記入する日と定め、１３枚目に体重折れ線グラフを付けて一体化し、世界中よりＷの意味を知った人々から毎月、体重を記入する人が出現することを特徴とするカレンダー。
【請求項２】
請求項１の体重折れ線グラフに年１回身長を記録出来ることを特徴とするカレンダー。
【請求項３】
請求項１の折れ線グラフは糊しろがあり糊により各年を繋ぎ巻物にして紛失を無くし、記録されたグラフより医療検診の資料と健康を維持するための意欲と実行が生まれることを特徴とするカレンダー。
【請求項４】
閏年は世界共通語のＬＥＡＰ−ＹＥＡＲのＬで閏年を数字で表す場合、年数後にＬを付けて閏年を明確にすることとし、請求項１の西暦は３６５日が３年続き、そのあと閏年の３６６日が１年続くサイクルで規則的になっており、２０１３年１月１日が火曜でサイクルの先頭の位置が確定しており、２０１４年１月１日は水曜、２０１５年は木曜、閏年の２０１６Ｌ年は金曜となり、次のサイクルの２０１７年からは１曜日遅れの日月火水と規則化され、各年のサイクルの位置によって１月１日の曜日が判明され、各月毎に本年を含む来年以後の複数のサイクルの年とその１月１日の曜日を記入して、各月のカレンダーより来年以後の１月１日の曜日情報を提供することを特徴とするカレンダー。
【請求項５】
請求項１の１２ヶ月に分けた各月の１日目を日付欄の最前に位置させると、四日間以上の空欄が生じ、４日間を緊急連絡欄と定め、緊急連絡先を記入して、その場に居合わせた人は外部に即連絡出来ることを特徴とするカレンダー。
【請求項６】
業界への寄与を目的とし、請求項１の体重折れ線グラフに和紙を使用し、内外の国の人々に千数百年の日本の文化を支え、世界一保存性が良く柔軟で皺がよりにくい特性を記入して和紙の振興に役立てると同時に、体重計の我家に１台の必要性を感じさせて計測業界の寄与及び体重記入による医療業界への寄与を特徴とするカレンダー。
【発明の詳細な説明】
【技術分野】
【０００１】  本発明は各国に共通するカレンダーに関することである
【背景技術】
【０００２】  カレンダーは購入又は頂くものとして扱われ自力で作成する習慣がない【０００３】  １２ヶ月に分けられたカレンダーは曜日欄の最初の曜日は日曜又は月曜で、各月の１日目を日付欄の最前にして１日目に該当する曜日を設けるカレンダーは見あたらない。【０００４】  １２ヶ月に分けられたカレンダーは月末に重複した日が発生し、予定記入に支障をきたすものが多い。【０００５】  日本から世界に共通する課題を発信しそれが実行可能で、家庭に、業界にも影響を与える積極的なカレンダーが存在しても良いと考える。
【発明の開示】
【発明の解決しようとする課題】
【０００６】  通常、世界の人々はカレンダーを目に付く場所に置くので、見たら必ず賛同し、行動する人が出現するものを提供する。
【０００７】  カレンダーに記入して家族の健康と絆を増進させ、赤ちゃが生まれたら一生の記念となるものを提供する。
【０００８】  本年後の目的年代のカレンダーを作成出来る資料を提供する。
【０００９】  カレンダーの日付欄に於いて、月末に日付が重複せず、必ず発生する４日以上の空欄に、定位置の緊急発信欄を作り外部に伝える必要がある場合、部外者でもカレンダーを見て、連絡出来るものを提供する。
【００１０】  カレンダーに話題的なものを付加して業界に影響を与えるものを提供する。
【課題を解決するための手段】
【００１１】  カレンダーは人目に付きやすい場所に置かれるのが通常であり、これを見た世界の人々の中に、世界共通語である英語の体重を意味するＷＥＩＧＨＴのＷを毎月１日目の１の後に記し、それを体重の記入する日と知り、カレンダーと一体化した体重折れ線グラフに個人又は家族の体重を記入して、健康管理の資料と赤ちゃんから記入すると一生の宝物になることを特徴とした。
【００１２】  上記の体重折れ線グラフに年１回身長も記録出来ることを特徴とした。
【００１３】  上記の体重折れ線グラフは紛失を無くすため、巻物用糊しろに糊を使用して繋げ巻物に出来ることを特徴とする。
【００１４】  閏年は世界共通語の英語のＬＥＡＰ−ＹＥＡＲのＬをカレンダーの閏年の年を数字で表す場合、数字の後にＬを付けて、西暦は３６５日が３年続き、その後に閏年の３６６日が１年続くサイクル状に規則的になっており、西暦２０１３年１月１日が火曜でサイクルの先頭に位置し、２０１４年１月１日は水曜、２０１５年は木曜、閏年の２０１６Ｌ年は金曜と火水木金と並び、次のサイクルの２０１７年からは１曜日遅れの日月火水と規則化され、各年のサイクルの位置によって１月１日の曜日が明確に出来ることを特徴とする。
【００１５】  カレンダーの１２ヶ月の各１日目を日付欄の最前に位置させることにより４日以上の空欄を生じ、４日間を緊急発信欄として緊急先を記入し、居合わせた人は外部に伝えることが出来るようにしたことを特徴とした。
【００１６】  業界に影響を与えるものとして体重折れ線グラフに世界一保存性が良く柔軟で皺がよりにくい和紙を使用し、千数百年、日本文化を支えていることを内外の国々に伝えると共に和紙業界の振興、計測業界では我が家に体重計１台の宣伝に役立ち、医療業界には検診の資料に役立つことを特徴とした。
【発明の効果】
【００１７】  世界中の人はカレンダーの各月の第１日目にＷと記入してあれば誰もがＷの意味するものに疑問を生じ、意味を了解した人の中から毎月体重、身長を年１回記入する習慣が生まれ、健康維持に心掛ける人が生じる。
【００１８】  閏年の年代のあとにＬを記入することにより閏年を意識させることが出来る。
【００１９】  赤ちゃんが生まれたら、折れ線グラフに毎月体重を記入し続けて一生の思い出の宝物となる。
【００２０】  折れ線グラフに糊しろを作り、糊で毎年グラフを繋ぐことにより巻物にして紛失を無くし、医療診断の資料となる。
【００２１】  西暦は３６５日が３年、３６６日の閏年が１年続くサイクル状になっており、年代順に先頭の１月１日が火曜ならば翌年順に水木金と規格化され次のサイクルの曜日は１曜日遅れの日月火水と規格化され、カレンダー作成の資料となる。
【００２２】  各月のカレンダーの第１日を最前にした場合、４日間以上の空欄が生じ、４日間を緊急発信欄として緊急先を記入し、その場に居合わせた人は外部に即連絡可能にしてある。
【００２３】目的とする月のカレンダー短時間作成方法が可能になり、事前にカレンダーの１日目を最前にして３１日迄を印刷しておき、月の日数に合わせて不必要な日を消し、その年と月と１日目の曜日を記入すると出来上がる。
【００２４】  体重折れ線グラフは世界一保存性が良く柔軟で皺がよりにくい和紙を使用し、千数百年、日本の文化を支えていることを記入して内外の国々に伝えると共に和紙業界の振興、計測業界では我が家に体重計１台の宣伝に役立ち、医療業界には検診の資料に役立つ。
【図面の簡単な説明】
【００２５】
【図１】  各月の第１日目を日付欄の最前にしたカレンダーの図である。
【図２】  年代別の１月１日の曜日図である。
【図３】  体重折れ線グラフと身長測定の図である。
【発明を実施するための最良の形態】
【００２６】  第１実施例（図１）
カレンダーＡに関し、各月の日付欄Ｅの第１日を最前に位置させ、それに従って曜日欄Ｄの曜日が毎月変更される方式で、必ず４日以上の空欄が発生する。
カレンダーＡは上欄前方に年月欄Ｂを設け、目的の年と月を記入し、後方は上下段に分けてサイクル欄Ｃを作り、上段に３６５日の３ヶ年と３６６日の閏年を続けてサイクルとし、閏年の場合は年数の後にＬを付けて閏年であることを示し、下段に次のサイクルの年数を記入し、計８年間の１月１日の曜日を年数の後に記入してカレンダーＡ作成の資料とする。
カレンダーＡは通常目に付く場所にあり、世界共通語の英語のＷＥＩＧＨＴのＷを各月の１日目の後に記入して体重記入日とし、世界中の人がＷの意味を了解すれば実行する人が生じ、カレンダーＡの体重折れ線グラフＦに個人又は家族の体重を記入して健康に留意するようになり、家族の対話と絆が強められる。
各月のカレンダーＡの第１日目を最前にした場合、月３１日で後方に４日間の空欄が生じるので定位置の緊急連絡欄Ｏとして連絡先を記入、その場に居合わせた人は外部に即連絡可能とした。【００２７】  第２実施例（図２）
カレンダーＡ作成は年間３６５日か３６６日、各年の１月１日の曜日が判明していると誰でも作成可能であり、そのための年代別１月１日曜日表Ｍを作成したもので、横の曜日と縦の曜日も規則化され、この規則化を利用すれば今後の各年の１月１日の曜日は明確に出来る。【００２８】  第３実施例（図３）
体重折れ線グラフＦは長期保存に最適な和紙を使用し、カレンダーＡの１２枚後に１３枚として付けて一体化し、巻物用糊しろ欄Ｋに糊を付けて毎年を繋げることにより紛失を無くし、医療検診の資料とすることが出来る。身長も年１回６月末、ｃｍ欄Ｐより身長記録欄Ｈに記入し、複数人の場合は名前欄Ｎに名前を記入出来るようにしてある。
【産業上利用可能性】
【００２９】  カレンダーの目的である業界への寄与として、体重折れ線グラフに和紙を使用することは、和紙は割高であるがカレンダー１３枚の１枚であり負担額が少なくて済み、千数百年、日本文化を支えた和紙の、現在減少ぎみの振興と、特殊な用途においやられている和紙を一般的な用途の開拓となる。
【００３０】  体重折れ線グラフには体重計が必要であり計測業界に貢献の可能性が生まれる。
【符号の説明】
【００３１】  Ａ  カレンダー
Ｂ  年月欄
Ｃ  サイクル欄
Ｄ  曜日欄
Ｅ  日付欄
Ｗ  体重記入日
Ｌ  閏年
Ｆ  体重折れ線グラフ
Ｇ  体重ＫＧ欄
Ｈ  身長記入欄
Ｉ  月欄
Ｊ  年欄
Ｋ  巻物用糊しろ欄
Ｍ  年代別１月１日曜日
Ｎ  名前欄
Ｏ  緊急連絡欄
Ｐ  ｃｍ欄
【図１】
2014124949.tif 000003
【図２】
2014124949.tif 000004
【図３】
2014124949.tif 000005